(57)【特許請求の範囲】
【請求項１】
ケースと、
前記ケースの表側に設置され、意匠が施された表示板と、
前記ケース内に設置され、前記表示板に向かう方向に光を発する光源と、
前記表示板の表側に位置し、前記表示板の前記意匠を囲む見返し部と、
前記見返し部及び前記表示板の間に位置し、前記光源からの光を導くことで前記見返し部の内周に沿って光る導光部材と、を備え、
前記導光部材は、
前記見返し部の内周に沿った環状に形成される本体部と、
前記本体部における前記ケースに対向する裏面に形成され、前記表示板を貫通して前記ケースに嵌合する嵌合部と、を備え、
前記嵌合部には、射出成形の際のゲート痕が形成される、
ことを特徴とする表示装置。
【請求項２】
前記導光部材の前記本体部は、前記本体部の外周端部に位置する外周壁を備え、
前記嵌合部は、前記本体部の前記裏面に直交する方向から見て、前記本体部の裏面から前記外周壁を越えて前記本体部の外側に突出する、
ことを特徴とする請求項１に記載の表示装置。
【請求項３】
前記本体部の前記裏面に直交する方向から見て、前記嵌合部における前記本体部と重なる面積は、前記嵌合部における前記本体部と重ならない面積より小さく設定されている、
ことを特徴とする請求項２に記載の表示装置。
【請求項４】
前記表示装置は、前記ケースの裏側に位置し、前記光源が表面に設置される基板を備え、
前記導光部材は、前記本体部に連結され、前記ケース内において前記光源に向かって延びる複数の入光部を備え、
前記嵌合部は、前記各入光部に対応して設けられる、
ことを特徴とする請求項１から３の何れか一項に記載の表示装置。
【請求項５】
ケースと、
前記ケースの表側に設置され、意匠が施された表示板と、
前記ケース内に設置され、前記表示板に向かう方向に光を発する光源と、
前記表示板の表側に位置し、前記表示板の前記意匠を囲む見返し部と、を備えた表示装置に用いられる、前記見返し部及び前記表示板の間に位置し、前記光源からの光を導くことで前記見返し部の内周に沿って光る導光部材であって、
前記見返し部の内周に沿った環状に形成される本体部と、
前記本体部における前記ケースに対向する裏面に形成され、前記表示板を貫通して前記ケースに嵌合する嵌合部と、を備え、
前記嵌合部には、射出成形の際のゲート痕が形成される、
ことを特徴とする導光部材。
【発明の詳細な説明】
【技術分野】
【０００１】
本発明は、表示装置及び導光部材に関する。
【背景技術】
【０００２】
従来、表示装置は、例えば、特許文献１に記載されるように、文字板と、文字板の目盛りが印刷された領域を囲む見返しと、見返しの内側に設置されたリング状の導光部材（リング状透光部）と、導光部材に光を照射する光源と、を備える。特許文献１の図３及び明細書段落［００２８］等に記載されるように、導光部材は、その外周面から外側に突出した突部が形成され、その突部には、見返しに設けられた固定用突起部に対応する孔が形成されている。導光部材の突部の孔に、見返しの固定用突起部が嵌合することで、導光部材は見返しに固定される。
【先行技術文献】
【特許文献】
【０００３】
【特許文献１】特開２００２−２５７６０２号公報
【発明の概要】
【発明が解決しようとする課題】
【０００４】
上記特許文献１に記載の構成においては、導光部材の外周壁に、位置決めのための突部が形成されている。光源からの光は導光部材の全域に広がるため、導光部材の突部にも、光源からの光が広がっていく。よって、視認者にとって、導光部材に沿うリング状の光のうち突部に対応する部分だけ外周壁がなく、その部分だけ光が外側に広がっているように見える。このため、導光部材を光らせた際の表示装置の意匠性が損なわれていた。
【０００５】
本発明は、上記実状を鑑みてなされたものであり、導光部材を光らせた際の意匠性を高めた表示装置及び導光部材を提供することを目的とする。
【課題を解決するための手段】
【０００６】
上記目的を達成するため、本発明に係る表示装置は、ケースと、前記ケースの表側に設置され、意匠が施された表示板と、前記ケース内に設置され、前記表示板に向かう方向に光を発する光源と、前記表示板の表側に位置し、前記表示板の前記意匠を囲む見返し部と、前記見返し部及び前記表示板の間に位置し、前記光源からの光を導くことで前記見返し部の内周に沿って光る導光部材と、を備え、前記導光部材は、前記見返し部の内周に沿った環状に形成される本体部と、前記本体部における前記ケースに対向する裏面に形成され、前記表示板を貫通して前記ケースに嵌合する嵌合部と、を備え、前記嵌合部には、射出成形の際のゲート痕が形成される。
【０００７】
上記目的を達成するため、本発明に係る導光部材は、ケースと、前記ケースの表側に設置され、意匠が施された表示板と、前記ケース内に設置され、前記表示板に向かう方向に光を発する光源と、前記表示板の表側に位置し、前記表示板の前記意匠を囲む見返し部と、を備えた表示装置に用いられる、前記見返し部及び前記表示板の間に位置し、前記光源からの光を導くことで前記見返し部の内周に沿って光る導光部材であって、前記見返し部の内周に沿った環状に形成される本体部と、前記本体部における前記ケースに対向する裏面に形成され、前記表示板を貫通して前記ケースに嵌合する嵌合部と、を備え、前記嵌合部には、射出成形の際のゲート痕が形成される。
【発明の効果】
【０００８】
本発明によれば、導光部材を光らせた際の意匠性を高めることができる。
【図面の簡単な説明】
【０００９】
【図１】本発明の一実施形態に係る表示装置の簡略的な正面図である。
【図２】本発明の一実施形態に係る表示装置の分解斜視図である。
【図３】本発明の一実施形態に係る表示装置の第１の指針式計器に対応する部位の簡略的な断面図である。
【図４】本発明の一実施形態に係るケースの第１の指針式計器に対応する部位を示す斜視図である。
【図５】本発明の一実施形態に係るケースの第２の指針式計器に対応する部位を示す斜視図である。
【図６】本発明の一実施形態に係る表示板の斜視図である。
【図７】本発明の一実施形態に係る導光部材、ケース及び表示板の斜視図である。
【図８】本発明の一実施形態に係る導光部材の斜視図である。
【図９】本発明の一実施形態に係る導光部材の平面図である。
【図１０】本発明の一実施形態に係る導光部材の底面図である。
【発明を実施するための形態】
【００１０】
本発明に係る表示装置の一実施形態について、図面を参照して説明する。
【００１１】
（表示装置の概略構成）
表示装置１０は、図１に簡略的に示すように、運転者から見て左右方向に沿って配列される円形の第１及び第２の指針式計器１１，１２と、第１及び第２の指針式計器１１，１２の間に配置される液晶表示器１３と、を備える。液晶表示器１３は、ＴＦＴ（Thin Film Transistor）型液晶表示モジュールからなるものであり、積算走行距離等の車両情報を表示する。
【００１２】
第１の指針式計器１１は、円弧状に配列される目盛り４１に対する指針１５の位置により車両速度を表す。第２の指針式計器１２は、円弧状に配列される目盛り４１に対する指針１５の位置によりエンジンの回転数を表す。
【００１３】
（表示装置の構成）
表示装置１０は、図２に示すように、指針１５と、基板４０と、ケース３０と、表示板４５と、液晶表示器１３と、後面カバー２０と、見返し部材６０と、導光部材５０と、光源２４，２５、２６と、を備える。
【００１４】
後面カバー２０は、樹脂により形成されるとともに、見返し部材６０に向かって開口した箱状をなす。
【００１５】
基板４０は、プリント基板であって、略長方形の板状に形成されている。基板４０は、後面カバー２０の内部に嵌め込まれている。基板４０には、図３に示すように、その厚さ方向に貫通する、２つの円形の貫通孔４１ａが形成されている。
【００１６】
光源２４，２５、２６は、それぞれ、例えば複数のＬＥＤ（Light Emitting Diode）により構成され、基板４０の表面（基板４０の見返し部材６０側の面）に実装されている。光源２４，２５、２６は、図３に示すように、各貫通孔４１ａに近い位置から、光源２５、光源２４及び光源２６の順に設置される。光源２４は、表示板４５を照明するためのものである。光源２５は、指針１５を光輝させるためのものである。光源２６は導光部材５０を光輝させるためのものである。光源２４，２５、２６は、制御部（図示しない）から供給される制御信号に基づいて駆動され、車両運転者によって操作されるイルミネーションスイッチ等に応じて点灯又は消灯する。
【００１７】
また、基板４０の裏面（基板４０の後面カバー２０側の面）には、図３に示すように、指針駆動部２２が実装されている。指針駆動部２２は、可動磁石式駆動装置、ステッピングモータ等からなるものである。指針駆動部２２は、軸回転する円柱状の回動軸２２ａを備える。指針駆動部２２の回動軸２２ａは、基板４０の貫通孔４１ａを通って基板４０の表側に突出する。
【００１８】
ケース３０は、図２に示すように、白色の合成樹脂、例えば、ポリプロピレンにより形成されるとともに、基板４０を挟んで後面カバー２０に嵌合可能に形成される。ケース３０の表側には表示板４５が設置される。
【００１９】
ケース３０の第１の指針式計器１１に対応する部位は、図３に簡略的に示すように、内側筒部３１と、傾斜部３２と、平行部３３と、傾斜部３４と、外側筒部３５と、第１〜第４の導光筒部３６ａ〜３６ｄとを備える。ケース３０の内側筒部３１は、第１の指針式計器１１の中央部分において、円筒状に形成されている。内側筒部３１の一端は表示板４５の裏面に当接し、内側筒部３１の他端は基板４０の表面における光源２４及び光源２５の間に当接している。内側筒部３１は、光源２４が発する光と、光源２５が発する光とが混合されることを防ぐ遮光壁として機能する。
【００２０】
ケース３０の傾斜部３２は、内側筒部３１の外周面に形成されるとともに、内側筒部３１の径方向外側に行くにつれて表示板４５側に向かうように傾斜している。傾斜部３２は、基板４０の厚さ方向において、光源２４に対向する位置に設けられ、光源２４からの光を平行部３３及び傾斜部３４に向けて反射させる。ケース３０の平行部３３は、光源２４の外側に位置するとともに、基板４０と平行な円環状をなす。ケース３０の傾斜部３４は、平行部３３の外周端部に連結されるとともに、内側筒部３１の径方向外側に行くにつれて表示板４５側に向かうように傾斜している。ケース３０の傾斜部３４は、光源２４が発した光を表示板４５に向けて反射させる。ケース３０の外側筒部３５は、傾斜部３４を囲む円筒形状をなし、外側筒部３５の内周面は傾斜部３４の外周端部に連結されている。外側筒部３５の一端は表示板４５の裏面に当接し、外側筒部３５の他端は基板４０の表面に当接している。
【００２１】
ケース３０の第１〜第４の導光筒部３６ａ〜３６ｄは、図４に示すように、外側筒部３５の外側に設けられている。第１〜第４の導光筒部３６ａ〜３６ｄは、内側筒部３１を中心として等角度（本例では９０°）間隔で配置されている。第１〜第４の導光筒部３６ａ〜３６ｄは、ケース３０の表面及び裏面に向かって開口するとともに、本例では略五角形の筒状に形成されている。第１〜第４の導光筒部３６ａ〜３６ｄの一端は表示板４５の裏面に当接し、第１〜第４の導光筒部３６ａ〜３６ｄの他端は基板４０の表面に当接している。第１〜第４の導光筒部３６ａ〜３６ｄ内には、基板４０上の光源２６が位置している。
【００２２】
ケース３０の表面のうち第１の指針式計器１１に対応する部位には、図４に示すように、第１〜第４の嵌合凹部３７ａ〜３７ｄが形成されている。第１〜第４の嵌合凹部３７ａ〜３７ｄは、それぞれ第１〜第４の導光筒部３６ａ〜３６ｄの近傍に設けられている。
第１及び第３の嵌合凹部３７ａ，３７ｃは、長方形の板状の穴を有する。第１の嵌合凹部３７ａにおける外側筒部３５と反対側の端部は開口している。第１の嵌合凹部３７ａの底面には、貫通孔部３７ａ１が形成されている。貫通孔部３７ａ１は、外側筒部３５の径方向に延びる長孔形状をなしている。第３の嵌合凹部３７ｃの底面には、真円形の貫通孔部３７ｃ１が形成されている。
第２の嵌合凹部３７ｂは、一辺が半円状に膨らんだ略正方形板状の穴を有している。第２の嵌合凹部３７ｂの半円部は、外側筒部３５と反対側を向いている。第４の嵌合凹部３７ｄは、一辺の一部が半円状をなす略長方形板状の穴を有している。第４の嵌合凹部３７ｄの半円部は、外側筒部３５と反対側を向いている。
【００２３】
ケース３０の第２の指針式計器１２に対応する部位には、図５に示すように、上述した第１〜第４の導光筒部３６ａ〜３６ｄと同様な第１〜第４の導光筒部１３６ａ〜１３６ｄと、上述した第１〜第４の嵌合凹部３７ａ〜３７ｄと同様な第１〜第４の嵌合凹部１３７ａ〜１３７ｄとが形成される。第２の嵌合凹部１３７ｂの底面には、真円形の貫通孔部１３７ｂ１が形成されている。第４の嵌合凹部１３７ｄの底面には、長孔形状の貫通孔部１３７ｄ１が形成されている。上述したケース３０の第１の指針式計器１１に対応する部位とは異なり、第１及び第３の嵌合凹部１３７ａ，１３７ｃの底面には貫通孔部が形成されていない。なお、ケース３０の第２の指針式計器１２に対応する内部は、図３を参照しつつ説明した第１の指針式計器１１に対応する内部と同様の構成を備える。
【００２４】
表示板４５は、図１及び図３に示すように、ポリカーボネート等の透光性樹脂からなる透光性基板の表裏面に各種印刷層として目盛り４１を形成してなる。目盛り４１は意匠の一例である。表示板４５には、図６に示すように、第１及び第２の指針式計器１１，１２の指針１５が挿通可能な２つの円形の貫通孔４５ａが形成されている。また、表示板４５には、液晶表示器１３の画面を表側に露出させる長方形の貫通孔４５ｂが形成されている。表示板４５には、上記ケース３０の第１〜第４の嵌合凹部３７ａ〜３７ｄ，１３７ａ〜１３７ｄ及び第１〜第４の導光筒部３６ａ〜３６ｄ，１３６ａ〜１３６ｄに対応する位置及び大きさの貫通孔４７が形成されている。
【００２５】
指針１５は、図３に示すように、指示部１６と、指針キャップ１７と、を備える。指針キャップ１７は、不透明な樹脂により形成されるものであって、回動軸２２ａの先端部が圧入されるボス部１８と、指示部１６を載置する指針座１９とを有している。指示部１６は、透光性樹脂からなり、表示板４５の表面に沿って延びる棒状に形成されている。指針１５は、指針駆動部２２によって回動軸２２ａと一体に回転可能に構成されている。図１に示すように、目盛り４１に対する指針１５の位置により、車両速度又はエンジンの回転数を表す。
【００２６】
導光部材５０は、図７〜図１０に示すように、透明の透光性樹脂により形成される。導光部材５０は、略円環状に形成される本体部５１と、ケース３０の第１〜第４の嵌合凹部３７ａ〜３７ｄに嵌合する第１〜第４の嵌合部５２ａ〜５２ｄと、各光源２６からの光を本体部５１に導く第１〜第４の入光部５３ａ〜５３ｄと、を備える。
導光部材５０の本体部５１は、その厚さ方向から見て、円形の内周壁５１ｉと、各辺が外側に膨らんだ円弧状をなす略正方形の外周壁５１ｏと、を備える。内周壁５１ｉ及び外周壁５１ｏは、それぞれ、本体部５１の厚さ方向に沿うことで、互いに平行をなす。
【００２７】
第１〜第４の嵌合部５２ａ〜５２ｄ及び第１〜第４の入光部５３ａ〜５３ｄは、本体部５１の中心軸を中心に約９０°間隔で配置されている。第１〜第４の入光部５３ａ〜５３ｄは、本体部５１の厚さ方向から見て、それぞれ、本体部５１の４つの角部にそれぞれ設けられている。第１〜第４の入光部５３ａ〜５３ｄは、本体部５１の裏面の外周端部に位置し、本体部５１の裏面から垂直に延びる三角柱状に形成されている。各入光部５３ａ〜５３ｄは、図８に示すように、その表側にて本体部５１に沿うように２つに分岐している。すなわち、各入光部５３ａ〜５３ｄは、略Ｙ字状をなしている。導光部材５０がケース３０に装着された状態で、図３に示すように、各入光部５３ａ〜５３ｄは、各光源２６に向かって延びている。
【００２８】
第１〜第４の嵌合部５２ａ〜５２ｄは、図８に示すように、それぞれ対応する第１〜第４の入光部５３ａ〜５３ｄの近傍に位置している。第１〜第４の嵌合部５２ａ〜５２ｄは、本体部５１の裏面（本体部５１の基板４０に対向する面）に形成される。各嵌合部５２ａ〜５２ｄは、図９に示すように、本体部５１の厚さ方向から見て、本体部５１から外周壁５１ｏを越えて本体部５１の径方向外側に向かって延びている。図９の破線で示される各嵌合部５２ａ〜５２ｄにおける本体部５１と重複する面積は、各嵌合部５２ａ〜５２ｄにおける本体部５１と重複しない面積に比べて小さい。
【００２９】
第１及び第３の嵌合部５２ａ，５２ｃは、図１０に示すように、長方形の板状で形成されている。第１及び第３の嵌合部５２ａ，５２ｃの長手方向は外周壁５１ｏに対して略垂直をなしている。第１及び第３の嵌合部５２ａ，５２ｃの裏面には、それぞれ半球状の第１及び第３の凸部５２ａ１，５２ｃ１が形成されている。第１及び第３の凸部５２ａ１，５２ｃ１は、第１及び第３の嵌合部５２ａ，５２ｃの基端側（本体部５１に近い端部側）に位置する。
第３の嵌合部５２ｃは、図７及び図８に示すように、ケース３０の第３の嵌合凹部３７ｃに嵌合可能に形成されている。第３の嵌合部５２ｃが第３の嵌合凹部３７ｃに嵌合するとき、第３の嵌合部５２ｃの第３の凸部５２ｃ１が第３の嵌合凹部３７ｃの貫通孔部３７ｃ１に嵌合する。第１の嵌合部５２ａは、ケース３０の第１の嵌合凹部３７ａに嵌合可能に形成される。第１の嵌合部５２ａが第１の嵌合凹部３７ａに嵌合するとき、第１の嵌合部５２ａの第１の凸部５２ａ１が第１の嵌合凹部３７ａの貫通孔部３７ａ１に嵌合する。
第３の凸部５２ｃ１が貫通孔部３７ｃ１に嵌合することで、導光部材５０は、ケース３０の貫通孔部３７ｃ１の位置において支持され、さらに、第１の凸部５２ａ１が貫通孔部３７ａ１に嵌合することで、導光部材５０が上記貫通孔部３７ｃ１の位置を中心に回転することが規制される。これにより、導光部材５０はケース３０に対して安定的に装着される。
【００３０】
第２の嵌合部５２ｂは、図７及び図１０に示すように、一辺が半円状をなす略正方形板状に形成されている。すなわち、第２の嵌合部５２ｂは、第２の嵌合凹部３７ｂに嵌まるように、ケース３０の第２の嵌合凹部３７ｂと相似形をなしつつ第２の嵌合凹部３７ｂよりも小さく形成される。第４の嵌合部５２ｄは、長手辺の一部が半円状をなす略長方形板状で形成されている。すなわち、第４の嵌合部５２ｄは、第４の嵌合凹部３７ｄに嵌まるように、ケース３０の第４の嵌合凹部３７ｄと相似形をなしつつ第４の嵌合凹部３７ｄよりも小さく形成される。第２及び第４の嵌合部５２ｂ，５２ｄの半円部は、導光部材５０の径方向外側に位置する。
【００３１】
第２及び第４の嵌合部５２ｂ，５２ｄの裏面には、図８に示すように、それぞれ半球状の第２及び第４の凸部５２ｂ１，５２ｄ１が形成されている。第２及び第４の凸部５２ｂ１，５２ｄ１は、本体部５１から遠い端部側に位置する。第２の嵌合部５２ｂは、図７に示すように、ケース３０の第２の嵌合凹部３７ｂに嵌合可能に形成されている。第２の嵌合部５２ｂが第２の嵌合凹部３７ｂに嵌合するとき、第２の嵌合部５２ｂの第２の凸部５２ｂ１は第２の嵌合凹部３７ｂの底面に当接しない。第４の嵌合部５２ｄは、ケース３０の第４の嵌合凹部３７ｄに嵌合可能に形成される。第４の嵌合部５２ｄが第４の嵌合凹部３７ｄに嵌合するとき、第４の嵌合部５２ｄの第４の凸部５２ｄ１が第４の嵌合凹部３７ｄの底面に当接しない。
【００３２】
また、第１の嵌合部５２ａの裏面の先端側には、図９に示すように、ゲート痕５２ａ２が形成されている。ゲート痕５２ａ２は、導光部材５０が射出成形される際に、射出成形機のゲート（図示略）に対向する位置に形成される。ゲート痕５２ａ２は、表面がその他の部位に比べて粗い凹凸状に形成されている。
【００３３】
導光部材５０は、ケース３０の第２の指針式計器１２に対応する部位にも嵌合可能である。具体的には、第１〜第４の嵌合部５２ａ〜５２ｄは、図５に示すように、ケース３０の第１〜第４の嵌合凹部１３７ａ〜１３７ｄに嵌合する。このとき、導光部材５０における第４の嵌合部５２ｄの第４の凸部５２ｄ１は、第４の嵌合凹部１３７ｄの貫通孔部１３７ｄ１に嵌合し、導光部材５０における第２の嵌合部５２ｂの第２の凸部５２ｂ１は、第２の嵌合凹部１３７ｂの貫通孔部１３７ｂ１に嵌合する。これにより、導光部材５０は、上記と同様の原理にて、ケース３０に対して安定的に装着される。
【００３４】
見返し部材６０は、図２に示すように、不透明な樹脂により形成され、基板４０、ケース３０、表示板４５及び液晶表示器１３を介在させた状態で、後面カバー２０に固定される。具体的には、見返し部材６０は、表示板４５の表面を部分的に覆う見返し板６０ａを備える。見返し板６０ａには、液晶表示器１３の画面に対応する長方形の孔を有する開口縁部６０ｃと、第１及び第２の指針式計器１１，１２に対応する円形の孔を有する開口縁部６０ｄとが形成されている。図３に示すように、見返し板６０ａは、その厚さ方向において、導光部材５０の本体部５１と重なっていて、本体部５１の内周側の一部は、開口縁部６０ｄの内周側にはみ出している。これにより、導光部材５０が光ることで、図１に示すように、第１及び第２の指針式計器１１，１２の外周を光らせることができる。なお、見返し板６０ａの開口縁部６０ｄが見返し部に相当する。
【００３５】
（作用）
次に、光源２６が点灯した際の導光部材５０内部での光の作用について説明する。
光源２６が発した光は、導光部材５０の各入光部５３ａ〜５３ｄの先端から入光した後、各入光部５３ａ〜５３ｄに沿って導光部材５０の本体部５１へと向かう。そして、その光は本体部５１及び各嵌合部５２ａ〜５２ｄに広がる。このとき、本体部５１の外周壁５１ｏによって、光の壁が環状に形成される。この外周壁５１ｏによって形成される光の壁は、視点によっては視認者により視認され得る。このとき、本体部５１から第１〜第４の嵌合部５２ａ〜５２ｄにも光は伝わるものの、第１〜第４の嵌合部５２ａ〜５２ｄは、本体部５１の裏面に設けられているため、本体部５１の外周壁５１ｏから本体部５１の径方向外側に光が広がらない。
【００３６】
（効果）
以上、説明した一実施形態によれば、以下の効果を奏する。
【００３７】
（１）表示装置１０は、ケース３０と、ケース３０の表側に設置され、表面に目盛り４１が施された表示板４５と、ケース３０内に設置され、表示板４５に向かう方向に光を発する光源２６と、表示板４５の表側に位置し、表示板４５の目盛り４１を囲む見返し板６０ａの開口縁部６０ｄと、見返し板６０ａ及び表示板４５の間に位置し、光源２６からの光を導くことで開口縁部６０ｄの内周に沿って光る導光部材５０と、を備える。導光部材５０は、見返し板６０ａの開口縁部６０ｄの内周に沿った環状に形成される本体部５１と、本体部５１におけるケース３０に対向する裏面に形成され、表示板４５を貫通してケース３０の第１〜第４の嵌合凹部３７ａ〜３７ｄ，１３７ａ〜１３７ｄに嵌合する第１〜第４の嵌合部５２ａ〜５２ｄと、を備える。
この構成によれば、第１〜第４の嵌合部５２ａ〜５２ｄは、本体部５１の裏面に形成されているため、導光部材５０を光らせた際に、その光が導光部材５０の外周壁５１ｏから各嵌合部５２ａ〜５２ｄを伝って外側に広がることがない。よって、導光部材５０を光らせた際の表示装置１０の意匠性を高めることができる。
また、光は、本体部５１に沿う方向に比べて、本体部５１の厚さ方向に進みづらいため、本体部５１の裏面から第１〜第４の嵌合部５２ａ〜５２ｄに光は比較的に進みづらい。よって、光源２６からの光に基づき効率的に本体部５１を光らせることができる。
【００３８】
（２）導光部材５０の本体部５１は、本体部５１の外周端部に位置する外周壁５１ｏを備える。第１〜第４の嵌合部５２ａ〜５２ｄは、本体部５１の裏面に直交する方向から見て、本体部５１の裏面から外周壁５１ｏを越えて本体部５１の外側に突出する。
この構成によれば、本体部５１と各嵌合部５２ａ〜５２ｄとが連結する部分が少なくなるため、本体部５１から各嵌合部５２ａ〜５２ｄに伝わる光の量を低減することができる。よって、効率的に本体部５１を光らせることができる。また、各嵌合部５２ａ〜５２ｄが本体部５１の外周側に設けられることで、各嵌合部５２ａ〜５２ｄを視認者が視認しづらい位置に設けることができる。
【００３９】
（３）図９に示すように、本体部５１の裏面に直交する方向から見て、第１〜第４の嵌合部５２ａ〜５２ｄにおける本体部５１と重なる面積は、第１〜第４の嵌合部５２ａ〜５２ｄにおける本体部５１と重ならない面積より小さく設定されている。この構成によれば、本体部５１と各嵌合部５２ａ〜５２ｄとが連結する部分がより少なくなるため、本体部５１から各嵌合部５２ａ〜５２ｄに伝わる光の量を低減することができる。よって、効率的に本体部５１を光らせることができる。
【００４０】
（４）導光部材５０の第１の嵌合部５２ａには、射出成形の際のゲート痕５２ａ２が形成される。この構成によれば、ゲート痕５２ａ２によって光が乱反射する部分が視認者によって視認される可能性を低減することができる。さらに、ゲート痕５２ａ２を第１の嵌合部５２ａの先端側、すなわち、導光部材５０における光の下流側に設けることで、ゲート痕５２ａ２によって光が受ける影響を最小限にすることができる。
【００４１】
（５）表示装置１０は、ケース３０の裏側に位置し、光源２６が表面に設置される基板４０を備え、導光部材５０は、本体部５１に連結され、ケース３０内において光源２６に向かって延びる第１〜第４の入光部５３ａ〜５３ｄを備える。第１〜第４の嵌合部５２ａ〜５２ｄは、各入光部５３ａ〜５３ｄに対応して設けられる。これにより、各嵌合部５２ａ〜５２ｄにより、各光源２６に対する各入光部５３ａ〜５３ｄの位置を定めることができる。従って、各入光部５３ａ〜５３ｄにより、各光源２６からの光を効率良く導光部材５０の本体部５１内に入光させることができる。
【００４２】
（６）図７に示すように、貫通孔部３７ｃ１は真円状の孔として形成されているが、貫通孔部３７ａ１は長孔として形成されている。このため、ケース３０及び導光部材５０の形状誤差が生じた場合であっても、第１の嵌合部５２ａの第１の凸部５２ａ１は第１の嵌合凹部３７ａの貫通孔部３７ａ１に嵌合し、第３の嵌合部５２ｃの第３の凸部５２ｃ１は第３の嵌合凹部３７ｃの貫通孔部３７ｃ１に嵌合可能となる。
【００４３】
（変形例）
なお、上記実施形態は、これを適宜変更した以下の形態にて実施することができる。
【００４４】
上記実施形態においては、第１〜第４の嵌合部５２ａ〜５２ｄは、本体部５１の裏面から外周壁５１ｏを越えて本体部５１の外側に突出していたが、本体部５１の外側に突出しないように本体部５１の裏面に形成されてもよい。
【００４５】
上記実施形態においては、表示装置１０には液晶表示器１３が設けられていたが、液晶表示器１３を省略してもよい。また、第１及び第２の指針式計器１１，１２のうち何れか一方を省略してもよい。例えば、表示装置は、単一の円筒状の指針式計器から構成されていてもよい。また、第１及び第２の指針式計器１１，１２が表示する対象は、車両速度、エンジンの回転数に限らず、ガソリン残量、油温、油圧、外気温等であってもよい。
【００４６】
上記実施形態における導光部材５０の形状は適宜変更可能である。例えば、上記実施形態では、導光部材５０は、第１〜第４の嵌合部５２ａ〜５２ｄを備えていたが、導光部材５０の嵌合部の数はこれに限定されず、１〜３つ又は５つ以上であってもよい。例えば、嵌合部の数を１つとした場合、嵌合部と嵌合凹部とを面接触させることで、導光部材はケースに対して固定される。
また、上記実施形態では、第１及び第２の指針式計器１１，１２の両方に対応する導光部材５０として構成されていたが指針式計器１１，１２毎に異なる導光部材が採用されてもよい。例えば、第１の指針式計器１１に対応する導光部材は、導光部材５０における第２及び第４の嵌合部５２ｂ，５２ｄを省略して構成してもよいし、例えば、第２の指針式計器１２に対応する導光部材は、導光部材５０における第１及び第３の嵌合部５２ａ，５２ｃを省略して構成してもよい。
また、導光部材５０の本体部５１における内周壁５１ｉ及び外周壁５１ｏの形状を、本体部５１の厚さ方向から見て、多角形又は楕円等に形成してもよい。
【００４７】
上記実施形態においては、第１〜第４の嵌合部５２ａ〜５２ｄにおける本体部５１と重なる面積は、第１〜第４の嵌合部５２ａ〜５２ｄにおける本体部５１と重ならない面積より小さく設定されていたが、第１〜第４の嵌合部５２ａ〜５２ｄにおける本体部５１と重なる面積は、第１〜第４の嵌合部５２ａ〜５２ｄにおける本体部５１と重ならない面積以上に設定されてもよい。
【００４８】
上記実施形態においては、第１〜第４の嵌合部５２ａ〜５２ｄ及び第１〜第４の入光部５３ａ〜５３ｄは、本体部５１に対して等角度間隔で均等に配置されていたが、異なる角度間隔で配置されていてもよい。
【００４９】
上記実施形態においては、導光部材５０は第１〜第４の入光部５３ａ〜５３ｄを備えていたが、第１〜第４の入光部５３ａ〜５３ｄを省略してもよい。この場合、光源２６からの光は直接に導光部材５０の本体部５１に照射される。
【００５０】
上記実施形態においては、各導光筒部３６ａ〜３６ｄは、略五角形の筒状に形成されていたが、筒状であればこの形状に限らず、例えば円筒状に形成されてもよい。
【００５１】
上記実施形態においては、第１〜第４の凸部５２ａ１〜５２ｄ１は、第１〜第４の嵌合部５２ａ〜５２ｄの裏面に突状に形成されていたがこれに代えて嵌合凹部を形成してもよい。この場合、ケース３０の貫通孔部３７ａ１，３７ｃ１，１３７ｂ１，１３７ｄ１に代えて、上記嵌合凹部に嵌合する凸部を設ける。
また、各嵌合部の形状も適宜変更可能である。導光部材５０の形状変更に合わせて、ケース３０の第１〜第４の嵌合凹部３７ａ〜３７ｄの形状も変更される。
【００５２】
上記実施形態においては、ゲート痕５２ａ２は第１の嵌合部５２ａの先端側の表面に形成されていたが、ゲート痕５２ａ２の位置は第１の嵌合部５２ａであれば、どの位置であってもよい。例えば、ゲート痕５２ａ２を第１の嵌合部５２ａの先端側の裏面に形成してもよく、また、ゲート痕５２ａ２を第１の嵌合部５２ａの中央部又は基端側に形成してもよい。さらに、ゲート痕５２ａ２を他の嵌合部５２ｂ〜５２ｄに形成してもよい。さらには、ゲート痕５２ａ２を、第１〜第４の嵌合部５２ａ〜５２ｄ以外の導光部材５０に形成してもよい。
【００５３】
上記実施形態のケース３０における内側筒部３１、傾斜部３２、平行部３３、傾斜部３４及び外側筒部３５の構成は適宜変形及び省略可能である。
【００５４】
上記実施形態においては、表示装置１０は、車両に搭載されていたが、その他、船、飛行機等の乗り物に搭載されていてもよいし、乗り物以外の一般的な装置に搭載されていてもよい。
【符号の説明】
【００５５】
１０…表示装置
１１…第１の指針式計器
１２…第２の指針式計器
１３…液晶表示器
１５…指針
１６…指示部
１７…指針キャップ
１８…ボス部
１９…指針座
２０…後面カバー
２２…指針駆動部
２２ａ…回動軸
２４〜２６…光源
３０…ケース
３６ａ〜３６ｄ，１３６ａ〜１３６ｄ…第１〜第４の導光筒部
３７ａ〜３７ｄ，１３７ａ〜１３７ｄ…第１〜第４の嵌合凹部
３７ａ１，３７ｃ１，１３７ｂ１，１３７ｄ１…貫通孔部
４０…基板
４５…表示板
５０…導光部材
５１…本体部
５１ｏ…外周壁
５１ｉ…内周壁
５２ａ〜５２ｄ…第１〜第４の嵌合部
５２ａ１〜５２ｄ１…第１〜第４の凸部
５２ａ２…ゲート痕
５３ａ〜５３ｄ…第１〜第４の入光部
６０…見返し部材
６０ａ…見返し板
６０ｃ，６０ｄ…開口縁部（見返し部）
【図１】
0006597093.tif 000002
【図２】
0006597093.tif 000003
【図３】
0006597093.tif 000004
【図４】
0006597093.tif 000005
【図５】
0006597093.tif 000006
【図６】
0006597093.tif 000007
【図７】
0006597093.tif 000008
【図８】
0006597093.tif 000009
【図９】
0006597093.tif 000010
【図１０】
0006597093.tif 000011